(57)【要約】【課題】美観を損なわずに天板外周の縁部を位置決めし、天板の反りを抑制できる加熱調理器を提供する。【解決手段】裏面側に下板３０を設けた天板３は、四つの辺および四つの角に、左右の縁部４１Ａ、前後の縁部４２Ａおよび四つ角の角部４５Ａをそれぞれ裏面側で内向きに返した返し部４１，４２および４５を有する。フレーム部材５１の保持部５１Ａに設けた対向部５１１，５１２は縁部４１Ａを上下方向に挟んで位置決めする。フレーム部材５２の保持部５２Ａに設けた対向部５２１と下板３０の縁部は、縁部４２Ａを上下方向に挟んで位置決めする。フレーム部材５５の保持部５５Ａに設けた対向部５５１，５５２は角部４５Ａを上下方向に挟んで位置決めする。天板３に施したホーロー処理によって生じうるホーロー溜まりは返し部４１，４２，４５に隠されて側方から視認できず、美観が確保される。【選択図】図６
2015034679.tif 000002
【特許請求の範囲】
【請求項１】
器具本体の上面開口を覆う矩形板状の天板に対し、少なくとも一方の面である天面にホーロー処理を施した加熱調理器であって、
前記天板は、四つの辺のうちの少なくとも一辺に、前記天板の縁部を前記天面とは反対側の裏面側で内向きに返した第一返し部を有しており、
前記天板の前記裏面に、
前記第一返し部における前記天板の前記裏面側で、前記縁部と向き合って配置する部位である第一対向部と、
前記縁部に対し前記第一対向部とは反対側で、前記縁部と向き合って配置し、前記第一対向部との間に前記縁部を挟む部位である第二対向部と
を有する第一保持部材を設けたことを特徴とする加熱調理器。
【請求項２】
前記第一保持部材は、
前記天板の四つの辺のうちの少なくとも一辺と向き合う辺に前記第一対向部を有し、前記天板の前記裏面に取り付ける下板と、
前記第二対向部を有し、前記下板が前記第一対向部を有する辺において、前記第二対向部と、前記下板の前記第一対向部との間に前記第一返し部の前記縁部を挟んだ状態で、前記下板に固定される第一フレーム部材と、
前記第一対向部および前記第二対向部を有し、前記下板が前記第一対向部を有さない辺において、前記第一対向部と前記第二対向部との間に前記第一返し部の前記縁部を挟んだ状態で、前記下板に固定される第二フレーム部材と
であることを特徴とする請求項１に記載の加熱調理器。
【請求項３】
前記第一保持部材は、前記天板の四つの辺にそれぞれ設けられており、
前記下板は、前記加熱調理器における前方側および後方側に位置する辺に前記第一対向部を有しており、
前記第一フレーム部材は、前記天板の四つの辺のうち、前記加熱調理器における前方側および後方側に位置する辺に設けた前記第一返し部の前記縁部を前記下板が有する前記第一対向部との間に挟んだ状態で、前記下板に固定され、
前記第二フレーム部材は、前記天板の四つの辺のうち、前記加熱調理器における左方側および右方側に位置する辺に設けた前記第一返し部の前記縁部を挟んだ状態で、前記下板に固定されること
を特徴とする請求項２に記載の加熱調理器。
【請求項４】
前記天板は、前記天板の角部を前記裏面側で内向きに返した第二返し部を有しており、
前記第一保持部材は、前記天板の辺のうちの少なくとも隣り合う二辺にそれぞれ設けられており、
前記天板の前記裏面に
前記第二返し部における前記天板の前記裏面側で、前記角部と向き合って配置する部位である第三対向部と、
前記角部に対し前記第三対向部とは反対側で、前記角部と向き合って配置し、前記第三対向部との間に前記角部を挟む部位である第四対向部と、
前記天板の辺に沿う方向における前記第一保持部材の端部に位置決めして隣り合う二つの前記第一保持部材を連結し、且つ前記第一保持部材と前記天板の前記裏面との間に挟まれて位置決めされる連結部と
を有する第二保持部材を設けたことを特徴とする請求項１から３のいずれかに記載の加熱調理器。
【請求項５】
前記第一保持部材および前記第二保持部材は、前記天板の縁に沿って、前記天板を一周して配置されることを特徴とする請求項４に記載の加熱調理器。
【発明の詳細な説明】
【技術分野】
【０００１】
本発明は、加熱調理器に関する。
【背景技術】
【０００２】
従来、器具本体の上面開口を覆う天板に設けた開口部から、器具本体側に設けたバーナを上方に突出して配置するガスコンロが知られている。天板は、鋼板の表面にホーロー処理を施して形成される。ホーロー処理の過程において、天板の外周縁部には釉薬が溜まりやすい。ゆえに天板は、焼成によって固まった釉薬の溜まり（いわゆるホーロー溜まり）が外周縁部に形成される場合がある。
【０００３】
ところで、天板の外周縁部に沿って外枠を設けたガスコンロが知られている（例えば、特許文献１参照）。天板は、加熱調理器の使用によって受熱すると、反りを生ずる可能性がある。特許文献１に記載の加熱調理器は、外枠の上端側で突設する庇部が天板の上面に当接する構成であり、庇部が外周縁部を下方に向けて押さえるので天板の反りを抑制できる。また、外枠は、天板の外周縁部に形成されたホーロー溜まりを覆い隠すことができ、天板の美観も損ねない。
【先行技術文献】
【特許文献】
【０００４】
【特許文献１】特開２００８−２７５４号公報
【発明の概要】
【発明が解決しようとする課題】
【０００５】
しかしながら、特許文献１に記載の加熱調理器は、外枠の庇部が天板の上面に位置するので、調理時の煮こぼれ等が天板上に落ち、庇部と天板の間に入り込むと、汚れが付着して美観を損ねる場合がある。加えて外枠は天板の上面よりも上方にはみ出しており、また、天板の側方にも張り出しているため、天板本体と比べて目立つ。このような外枠を有する天板本体に、例えばガラスコートを施して見栄えをよくしようとしても、外枠が目立つがゆえに、天板全体としての美観向上にはつながりにくいという問題点がある。ゆえに、外枠を目立たなくしたり、あるいは外枠の構成をなくしたりすることで、天板の外周縁部に煮こぼれ等の入り込む隙間をなくし、且つ美観向上を図ることができる加熱調理器が求められている。
【０００６】
本発明は、上記問題点を解決するためになされたものであり、美観を損なわずに天板の外周縁部を位置決めし、天板の反りを抑制できる加熱調理器を提供することを目的とする。
【課題を解決するための手段】
【０００７】
本発明の請求項１に係る発明の加熱調理器は、器具本体の上面開口を覆う矩形板状の天板に対し、少なくとも一方の面である天面にホーロー処理を施した加熱調理器であって、前記天板は、四つの辺のうちの少なくとも一辺に、前記天板の縁部を前記天面とは反対側の裏面側で内向きに返した第一返し部を有しており、前記天板の前記裏面に、前記第一返し部における前記天板の前記裏面側で、前記縁部と向き合って配置する部位である第一対向部と、前記縁部に対し前記第一対向部とは反対側で、前記縁部と向き合って配置し、前記第一対向部との間に前記縁部を挟む部位である第二対向部とを有する第一保持部材を設けたことを特徴とする。
【０００８】
また、請求項２に係る発明の加熱調理器では、請求項１に記載の発明の構成に加え、前記第一保持部材は、前記天板の四つの辺のうちの少なくとも一辺と向き合う辺に前記第一対向部を有し、前記天板の前記裏面に取り付ける下板と、前記第二対向部を有し、前記下板が前記第一対向部を有する辺において、前記第二対向部と、前記下板の前記第一対向部との間に前記第一返し部の前記縁部を挟んだ状態で、前記下板に固定される第一フレーム部材と、前記第一対向部および前記第二対向部を有し、前記下板が前記第一対向部を有さない辺において、前記第一対向部と前記第二対向部との間に前記第一返し部の前記縁部を挟んだ状態で、前記下板に固定される第二フレーム部材とであることを特徴とする。
【０００９】
また、請求項３に係る発明の加熱調理器では、請求項２に記載の発明の構成に加え、前記第一保持部材は、前記天板の四つの辺にそれぞれ設けられており、前記下板は、前記加熱調理器における前方側および後方側に位置する辺に前記第一対向部を有しており、前記第一フレーム部材は、前記天板の四つの辺のうち、前記加熱調理器における前方側および後方側に位置する辺に設けた前記第一返し部の前記縁部を前記下板が有する前記第一対向部との間に挟んだ状態で、前記下板に固定され、前記第二フレーム部材は、前記天板の四つの辺のうち、前記加熱調理器における左方側および右方側に位置する辺に設けた前記第一返し部の前記縁部を挟んだ状態で、前記下板に固定されることを特徴とする。
【００１０】
また、請求項４に係る発明の加熱調理器では、請求項１から３のいずれかに記載の発明の構成に加え、前記天板は、前記天板の角部を前記裏面側で内向きに返した第二返し部を有しており、前記第一保持部材は、前記天板の辺のうちの少なくとも隣り合う二辺にそれぞれ設けられており、前記天板の前記裏面に前記第二返し部における前記天板の前記裏面側で、前記角部と向き合って配置する部位である第三対向部と、前記角部に対し前記第三対向部とは反対側で、前記角部と向き合って配置し、前記第三対向部との間に前記角部を挟む部位である第四対向部と、前記天板の辺に沿う方向における前記第一保持部材の端部に位置決めして隣り合う二つの前記第一保持部材を連結し、且つ前記第一保持部材と前記天板の前記裏面との間に挟まれて位置決めされる連結部とを有する第二保持部材を設けたことを特徴とする。
【００１１】
また、請求項５に係る発明の加熱調理器では、請求項４に記載の発明の構成に加え、前記第一保持部材および前記第二保持部材は、前記天板の縁に沿って、前記天板を一周して配置されることを特徴とする。
【発明の効果】
【００１２】
請求項１に係る発明の加熱調理器において、天板は、ホーロー処理によって表面処理を行うため、縁部にホーロー溜まりが形成され、凹凸を生じる場合がある。第一保持部材は、天板の縁部を第一対向部と第二対向部とで挟むことができる。ゆえに、加熱調理器の製造過程において、天板の縁部にホーロー溜まりがあっても、第一対向部と第二対向部の間に縁部を配置し、加熱調理器を組み立てることは容易である。そして、第一対向部と第二対向部の間に縁部を挟むので、天板の縁部を位置決めし、天板の受熱による反りを確実に抑制することができる。また、天板の縁部は、第一返し部によって、天板の内向きに返された位置にある。ゆえに、縁部にホーロー溜まりによる凹凸があっても、加熱調理器の外側から見えにくく、美観は損なわれない。さらに、縁部を第一対向部と第二対向部で挟む構成によってホーロー溜まりを隠すことができ、加熱調理器の美観は損なわれない。
【００１３】
請求項２に係る発明の加熱調理器において、第二対向部を有する第一フレーム部材は、少なくとも一辺において第一対向部を有する下板の第一対向部との間で天板の縁部を挟むことができる。すなわち、第一対向部が下板の部位として下板と一体であるので、組み付け時において、縁部に対して第一フレーム部材を下方側から被せるようにして配置することができる。その状態で、第一フレーム部材を下板に固定すれば、下板の第一対向部と第一フレーム部材の第二対向部との間に縁部を挟み、縁部の位置決めを確実に行うことができる。ゆえに、第一フレーム部材は、組み付け後の向きが組み付け前の向きと同じ向きのまま下板に固定することができるので、組み付け作業が容易である。
【００１４】
請求項３に係る発明の加熱調理器において、天板は、通常、左右方向に長く延びるため、受熱した場合に、前後方向と比べると左右方向において反りを生じやすい。そこで、第一対向部と第二対向部とを一体に有し、両者間が広がることのない第二フレーム部材を、天板の左方側および右方側の辺に設けた縁部の位置決めに用いることで、天板の受熱による反りを確実に防止できる。そして、前方側および後方側に設けた縁部の位置決めには、下板に固定しやすい第一フレーム部材を用いれば、加熱調理器の組み立てが容易である。
【００１５】
請求項４に係る発明の加熱調理器では、第一保持部材で天板の縁部を挟んで位置決めし、天板の反りを抑制するのに加え、第二保持部材の第三対向部と第四対向部で天板の角部を挟んで位置決めすることで、天板の角部においても反りを抑制することができる。また、第二保持部材を第一保持部材で天板の裏面との間に挟んで位置決めできるので、下板に第二保持部材を固定するための部位や部材を用意せずとも済み、部品点数や取り付けの手間を低減できる。そして、隣り合う二辺に配置した２つの第一保持部材を第二保持部材で連結することができるので、第一保持部材および第二保持部材の強度を高め、天板の縁部および角部をそれぞれ挟み、位置決めした状態を維持することができる。
【００１６】
また、第一対向部と第二対向部を有する第二フレーム部材は、下板の第一対向部を有さない辺側において、第一対向部と第二対向部と間に縁部を挟むことができる。組み付け時において、第一フレーム部材を天板の縁部に向けて斜めに傾け、差し込めば、第一対向部と第二対向部の間に縁部を配置することができる。その状態で第二フレーム部材の傾きを戻して下板に固定すれば、縁部が第一対向部と第二対向部に挟まれた状態で抜けにくくなるので、第二フレーム部材の組み付け作業も容易に行うことができる。また、第一対向部と第二対向部との間が広がることがないので、天板の縁部をより確実に位置決めすることができる。
【００１７】
そして、天板の辺に応じ、第一保持部材として第一フレーム部材を利用したり、第二フレーム部材を利用したりすることができるので、天板に対する第一保持部材の組み付け作業が容易であり、且つ、縁部の位置決めを確実に行うことができる。
【００１８】
請求項５に係る発明の加熱調理器では、天板の縁に沿って天板を一周して第一保持部材および第二保持部材を配置することで、天板の全周に亘って天板の縁部および角部を確実に挟み、位置決めすることができる。また、第一保持部材の第二対向部および第二保持部材の第四対向部は、天板の縁部および角部を挟む構成であるため、天板の縁に沿って天板の側方から視認できる位置に配置される。すなわち、天板を側方（特に斜め上方）からみた場合に、第二対向部および第四対向部が天板の下側で縁に沿って一周して配置される構成となるため、天板が縁取りされる視覚効果を得ることができる。よって、天板自体の存在感を際立たせることができ、美観向上を図ることができる。また、天板が局所的に高温になった場合、第一保持部材および第二保持部材は天板の熱を伝導して放熱することができるので、天板の局所的な高温化を防ぎ、受熱による天板の反りを、より確実に防止できる。なお、第一保持部材および第二保持部材にアルミニウムまたはアルミニウム合金を用いれば、放熱効果をより高めることができ、好ましい。
【００１９】
なお、請求項１に記載の加熱調理器において、前記第一保持部材は、前記第一対向部を有し、前記天板の前記裏面に取り付ける下板と、前記第二対向部を有し、当該第二対向部と、前記下板が有する前記第一対向部との間に前記縁部を挟んだ状態で、前記下板に固定される第一フレーム部材とであってもよい。この場合、第一対向部が下板の部位として下板と一体であるので、組み付け時において、縁部に対して第一フレーム部材を下方側から被せるようにして配置することができる。その状態で、第一フレーム部材を下板に固定すれば、下板の第一対向部と第一フレーム部材の第二対向部との間に縁部を挟み、縁部の位置決めを確実に行うことができる。ゆえに、第一フレーム部材は、組み付け後の向きが組み付け前の向きと同じ向きのまま下板に固定することができるので、組み付け作業が容易である。
【００２０】
また、請求項１に記載の加熱調理器において、前記第一保持部材は、前記天板の前記裏面に取り付ける下板と、前記第一対向部および前記第二対向部を有し、前記第一対向部と前記第二対向部との間に前記縁部を挟んだ状態で、前記下板に固定される第二フレーム部材とであってもよい。この場合、組み付け時において、第二フレーム部材を天板の縁部に向けて斜めに傾け、差し込めば、第一対向部と第二対向部の間に縁部を配置することができる。その状態で第二フレーム部材の傾きを戻して下板に固定すれば、縁部が第一対向部と第二対向部に挟まれた状態で抜けにくくなるので、第二フレーム部材の組み付け作業も容易に行うことができる。また、第一対向部と第二対向部との間が広がることがないので、天板の縁部をより確実に位置決めすることができる。
【図面の簡単な説明】
【００２１】
【図１】コンロ１の斜視図である。
【図２】天面３Ａ側からみた天板３の斜視図である。
【図３】裏面３Ｂ側からみた天板３の斜視図である。
【図４】図２のＩ−Ｉ線において矢視方向からみた天板３の断面図である。
【図５】図２のＩＩ−ＩＩ線において矢視方向からみた天板３の断面図である。
【図６】図３の点線Ｓで囲む部分を拡大した天板３の分解斜視図である。
【図７】図２のＩＩＩ−ＩＩＩ線において矢視方向からみた天板３の断面図である。
【図８】図２のＩＶ−ＩＶ線において矢視方向からみた天板の断面図である。
【発明を実施するための形態】
【００２２】
以下、本発明の一実施形態について、図面を参照して説明する。図１において、左斜め下方、右斜め上方、右斜め下方、左斜め上方を、それぞれ、コンロ１の前方、後方、右方、左方とする。なお、図１に示すコンロ１は、図示しないキッチンのカウンタートップに設置されるビルトインコンロである。
【００２３】
図１を参照し、コンロ１の全体構造について説明する。コンロ１は略直方体状の器具本体２を備える。器具本体２は上部が開口し、内部に各種バーナ４〜６、グリル庫（図示略）、ガス供給機構（図示略）等を備える。コンロ１は、器具本体２の上部に、上部開口を覆う平面視長方形状の天板３を備える。天板３は後端側にアルミニウム製の後板２２を備え、後板２２より前側の部分に、鋼板にホーロー処理を施したトッププレート２１を備える。トッププレート２１は、右手前、左手前および略中央奥に、カバーリング３４，３５，３６がそれぞれ組み付けられたバーナ開口２４，２５，２６（図２参照）を有する。器具本体２に設けた右バーナ４、左バーナ５、奥バーナ６は、それぞれバーナ開口２４〜２６からトッププレート２１上に突出する。後板２２は奥バーナ６の後方に配置され、グリル庫内と連通する排気口７を備える。排気口７には一対の遮炎カバー２２Ａが設置されている。なお、詳述しないが、各種バーナ４〜６には、点火のためのイグナイタ、失火検知用の熱伝対等がそれぞれ取り付けられている。
【００２４】
器具本体２は、前面中央に正面視長方形状のグリル扉８を備える。グリル扉８は前後方向にスライド可能に設けられている。グリル扉８は前面上部に取手９を有する。使用者は、取手９を掴んでグリル扉８を手前側に引き出すと、グリル庫（図示略）内に収容された焼き網と受け皿（図示略）を同時に取り出すことができる。
【００２５】
器具本体２は、前面右上角部に、コンロ１の電源をオン・オフする電源スイッチ１０を備える。また、器具本体２は、電源スイッチ１０の下側に、左右方向に一列に並ぶ正面視円形状の点火ボタン１１〜１３を備える。器具本体２はさらに、グリル扉８の左側にも、点火ボタン１１〜１３と同一高さ位置に、正面視円形状の点火ボタン１４を備える。点火ボタン１１は右バーナ４を、点火ボタン１２は左バーナ５を、点火ボタン１３は奥バーナ６を、点火ボタン１４はグリル庫（図示略）内に設けられたバーナ（図示略）を、それぞれ点火および消火するスイッチである。点火ボタン１１〜１４は、使用者が点火のために操作すると器具本体２前面から前方に突出し、各種バーナ４〜６およびグリル庫内バーナの火力調節のため、回動操作できるようになる。
【００２６】
また、器具本体２は、前面の点火ボタン１１〜１３の下方にパネル１６を備え、点火ボタン１４の下方にもパネル１７を備える。パネル１６の背面側には、コンロ用操作パネル（図示略）が設けられている。パネル１７の背面側には、グリル用操作パネル（図示略）が設けられている。パネル１６，１７は使用者が指で押し込むと、それぞれ開いたり閉じたりすることができ、開いたときには各操作パネルを露出する。
【００２７】
図２〜図８を参照し、天板３の構造について説明する。図２に示すように、天板３は、トッププレート２１と後板２２を備える。前述したように、トッププレート２１は平板状の鋼板２１Ａ（図４参照）にバーナ開口２４〜２６を形成し、本実施形態では表裏両側の表面にホーロー処理を施してガラスコート層２１Ｂ（図４参照）を形成した板体である。バーナ開口２４〜２６の形成位置は、器具本体２に設けた右バーナ４、左バーナ５、奥バーナ６（図１参照）の配置位置にそれぞれ対応する。バーナ開口２４〜２６は平面視円形状であり、内径が、右バーナ４、左バーナ５、奥バーナ６の各バーナヘッドの外径よりも大きく形成されている。
【００２８】
カバーリング３４〜３６はそれぞれ短軸で筒状に形成され、軸方向をトッププレート２１の厚み方向に合わせてトッププレート２１に組み付けられる部材である。カバーリング３４〜３６は、軸方向一端部が径方向外向きに鍔状に延び、天板３を器具本体２に組み付けた場合に器具本体２とは反対側（上側）を向く面（以下、「天面」３Ａという。）側で、それぞれバーナ開口２４〜２６の縁部を覆う。また、カバーリング３４〜３６は、軸方向他端部が、天面３Ａとは反対側（下側）の面（以下、「裏面」３Ｂ（図３参照）という。）側に設けた押さえ板３７，３８，３９（図３参照）にそれぞれ固定されて、トッププレート２１に組み付けられている。
【００２９】
後板２２は、前述したように、左右方向を長手方向とする長方形状でアルミニウム製の板体である。後板２２は、排気口７の左右両端に、前後方向に延びる長穴状のガイド穴（図示略）と、ガイド穴に挿入された操作ネジ２３を備える。操作ネジ２３は、先端部が、天板３を器具本体２に固定するため天板３の裏面３Ｂ側に設けられる一対の固定板７１（図３参照）にねじ込まれている。操作ネジ２３は、固定板７１をガイド穴に沿って前後方向に移動でき、且つ、ねじ締めすることで、天板３に固定板７１を位置決めすることができる。
【００３０】
図３を参照し、天板３の裏面３Ｂ側の構成について説明する。なお、図３は、図２に示す天板３を裏返して裏面３Ｂを上方へ向けた状態の斜視図であるが、説明の便宜上、図３においても図２の方向の定義に準じて説明する。天板３は、裏面３Ｂに金属製の下板３０を備える。下板３０は、裏面３Ｂ側でトッププレート２１および後板２２と向き合って配置される。下板３０は、排気口７およびバーナ開口２４〜２６の部分が開口されている。トッププレート２１は下板３０に接着剤で固定され、後板２２は下板３０にネジ止めされており、トッププレート２１と後板２２とが下板３０を介して互いに位置決めされる。
【００３１】
また、下板３０は、バーナ開口２４，２５の前側の位置、バーナ開口２４，２５とバーナ開口２６との間の位置、およびバーナ開口２６と排気口７との間の位置のそれぞれに、下方へ向けて立ち上がり、且つ左右方向に延びるリブ３０Ａを有する。リブ３０Ａは、下板３０に設けた切欠部を折り曲げて形成されたものであり、下板３０の機械的強度を高める。下板３０は、トッププレート２１および後板２２を下支えして補強する。さらに下板３０は、接着剤を介してトッププレート２１に密着することで、トッププレート２１が各種バーナ４〜６の燃焼熱によって部分的に受熱した熱を拡散し、熱によるトッププレート２１の歪みを防止する。後述するが、下板３０の前後方向における縁端部３０Ｃ（図５参照）は天板３の縁部４２Ａと重なる位置に配置され、左右方向における縁端部３０Ｂ（図４参照）は、天板３の縁部４１Ａよりも天板３の内方側の位置に配置される。また、上記した押さえ板３７〜３９は、それぞれ下板３０に位置決められて固定されている。
【００３２】
天板３は、裏面３Ｂの左端側および右端側に、前後方向に延びる一対の板状の固定板７１を備える。前述したように、固定板７１は天板３を器具本体２に固定するための板体である。固定板７１は、天板３の取り付けまたは取り外しの際に前後方向へスライド移動できるように、下板３０によって支持される。後述するフレーム部材５１は、一部が、上下方向において固定板７１と下板３０との間に配置される。固定板７１は前方側の端部がＬ字状に曲がって内向きに延び、その先端に、前方へ向けて突出する突片７１Ａを備える。天板３を器具本体２に固定する場合、作業者が操作ネジ２３を操作することで、突片７１Ａは、器具本体２の前枠に設けられた穴部（図示略）に係合する。
【００３３】
天板３は、四つの辺に、左右の縁部４１Ａおよび前後の縁部４２Ａをそれぞれ裏面３Ｂ側で内向きに返した返し部４１および４２（図４〜図６参照）を有する。言い換えると、トッププレート２１の前方側および左右両側の縁部と、後板２２の左右両側および後方側の縁部は、裏面３Ｂ側で内向きに返されている。図４〜図６に示すように、返し部４１，４２はそれぞれ断面が円弧状に返されている。天面３Ａは、返し部４１，４２においては面の向く方向（面方向）が天板３の側方を向き、縁部４１Ａ，４２Ａにおいては面方向が下方を向く。裏面３Ｂは、返し部４１，４２においては面方向が天板３の内方を向き、縁部４１Ａ，４２Ａにおいては面方向が上方を向いて、天板３の本体部（返し部４１，４２および後述する返し部４５を除く部分）における裏面３Ｂと向き合う。そして縁部４１Ａ，４２Ａの端面は、面方向が天板３の内方を向く。ゆえに、縁部４１Ａ，４２Ａは側方から視認できない。
【００３４】
また、天板３は、四つの角部４５Ａをそれぞれ裏面３Ｂ側で内向きに返した返し部４５（図７参照）を有する。言い換えると、トッププレート２１の前方側の角部と、後板２２の後方側の角部は、裏面３Ｂ側で内向きに返されている。図７に示すように、返し部４５も同様に、断面が円弧状に返されている。天面３Ａは、返し部４５においては面方向が天板３の側方を向き、角部４５Ａにおいては面方向が下方を向く。裏面３Ｂも同様に、返し部４５においては面方向が天板３の内方を向き、角部４５Ａにおいては面方向が上方を向いて、天板３の本体部における裏面３Ｂと向き合う。そして角部４５Ａの端面は、面方向が天板３の内方を向く。よって、角部４５Ａも側方から視認できない。このように、返し部４１，４２，４５が天板３の周方向に連続して設けられることによって、天板３は、側方の縁が周方向の一周に亘って滑らかな曲面で構成される。
【００３５】
図３に示すように、天板３は、裏面３Ｂに、返し部４１，４２および４５それぞれの縁部４１Ａ，４２Ａおよび角部４５Ａ（図４，図５，図７参照）をそれぞれ保持するためのフレーム部材５１，５２および５５を備える。図４，図５に示すフレーム部材５１，５２は、それぞれ下板３０に固定され、下板３０とともに、天板３の縁部４１Ａ，４２Ａを位置決めして保持する。また、図７に示すフレーム部材５５は、下板３０に固定されるフレーム部材５１，５２を介して下板３０に固定され、天板３の角部４５Ａを保持する。
【００３６】
図３，図４，図６に示すように、フレーム部材５１は、アルミニウムまたはアルミニウム合金からなる細幅な板状の部材である。フレーム部材５１は、長手方向を前後方向に揃え、厚み方向を上下方向に向けて天板３の裏面３Ｂに取り付けられる。
【００３７】
図４，図６に示すように、フレーム部材５１は、保持部５１Ａ、固定部５１Ｂ、連結部５１Ｃ、貼設部５１Ｄおよび放熱部５１Ｅを備える。保持部５１Ａは、返し部４１の縁部４１Ａを保持する部位であり、フレーム部材５１を構成する長手側の二辺のうちの一辺に、長手方向の全長に亘って設けられる。保持部５１Ａは、フレーム部材５１の厚み方向において所定間隙を離し、互いに向き合って配置される２つの対向部５１１，５１２を備える。フレーム部材５１が下板３０に固定された場合に、対向部５１１は返し部４１の縁部４１Ａに対して下方に配置され、縁部４１Ａにおいて面方向が下方を向く天面３Ａと向き合う。同様に対向部５１２は縁部４１Ａに対して上方に配置され、縁部４１Ａにおいて面方向が上方を向く裏面３Ｂと向き合う。前述したように、下板３０は、左右方向両側の縁端部３０Ｂが保持部５１Ａの形成位置（言い換えると返し部４２の内面側の位置）よりも天板３の内方側に位置する。このため、下板３０の縁端部３０Ｂと天板３の裏面３Ｂとの間に生じる段差によって、縁部４１Ａの端面と縁端部３０Ｂの端面を縁とし、天板３の左右側の辺に沿って延びる溝部３Ｃが形成される。フレーム部材５１は、天板３に取り付ける場合に、対向部５１１，５１２間に縁部４１Ａを挟むため、保持部５１Ａを斜めに傾けて縁部４１Ａに差し込む。このとき、対向部５１２は溝部３Ｃ内に逃げることができ、下板３０に干渉しない。さらに、対向部５１１，５１２間に縁部４１Ａを差し込んだ状態で、縁部４１Ａを支点にフレーム部材５１を回転させ、対向部５１１，５１２間の奥まで縁部４１Ａが配置されるようにスライドすることで、フレーム部材５１を取り付け位置に配置する。このとき、溝部３Ｃが保持部５１Ａの位置決めとなってフレーム部材５１の回転およびスライドを案内するので、フレーム部材５１の下板３０への取り付けを容易に行うことができる。
【００３８】
対向部５１１と対向部５１２との間の間隙は、縁部４１Ａにおける天板３の厚みよりも大きく形成されている。トッププレート２１はホーロー処理が施されるため、縁部４１Ａにホーロー溜まりを生ずる場合がある。保持部５１Ａは、ホーロー溜まりによって縁部４１Ａの厚みが増しても、天板３の厚みよりも大きく形成した対向部５１１，５１２の間隙に、縁部４１Ａを配置することができる。また、天板３が自重によって縁部４１Ａを下方に押しつけるので、縁部４１Ａは、下側に配置される対向部５１１と密接する。ゆえに、側方から保持部５１Ａ内をのぞき込んでも縁部４１Ａひいてはホーロー溜まりを視認することはできず、返し部４１を備えたことによる天板３の美観は損なわれない。
【００３９】
固定部５１Ｂは、フレーム部材５１を下板３０に固定する部位であり、例えば厚み方向に貫通する貫通穴５１３を備え、フレーム部材５１の幅方向（短手方向）略中央で、長手方向の複数箇所（例えば２カ所）に設けられる。下板３０は、固定部５１Ｂに対応する位置にネジ穴３０Ｄを有する。止めネジ５９（図４参照）を貫通穴５１３に挿通した状態でネジ穴３０Ｄに締結することで、フレーム部材５１は下板３０に固定される。すなわち、天板３の縁部４１Ａは、フレーム部材５１を介し、下板３０に位置決めされる。
【００４０】
連結部５１Ｃは、フレーム部材５１がフレーム部材５５（後述）と連結するための部位であり、フレーム部材５１の長手方向両端にそれぞれ設けられる。連結部５１Ｃには、フレーム部材５５が備える突起部５５３（図６参照）に係合する係合穴５１４が設けられている。フレーム部材５１は連結部５１Ｃにおいて天板３との間にフレーム部材５５の連結部５５Ｂ（図６参照）を挟み、フレーム部材５５と密着して熱を伝導できるようにする。係合穴５１４は、突起部５５３と係合することで、フレーム部材５１とフレーム部材５５との連結位置を位置決めする。
【００４１】
貼設部５１Ｄは、保持部５１Ａにおける対向部５１１の下側の面と、対向部５１１の縁を下方へ折り返した縁曲げ部５１９の内側の面によって構成される部位であり、パッキン２９が位置決めされて貼り付けられる。パッキン２９は、コンロ１をキッチンのカウンタートップに設置した場合に、カウンタートップと天板３との間に介在してカウンタートップの傷付きを防止し、且つ、吹きこぼれ等がコンロ１内に進入するのを防ぐ。
【００４２】
なお、対向部５１１は、上側の面が、縁曲げ部５１９における外側の面へ向けて連続して滑らかな曲面を構成するように形成されており、エッジがない。縁曲げ部５１９は、保持部５１Ａが天板３の縁部４１Ａを保持した場合に、返し部４１よりも天板３の内方側に位置するように、対向部５１１に設けられている。そして、天板３の縁部４１Ａが対向部５１１と当接する位置において、返し部４１における天面３Ａが構成する曲面と、縁曲げ部５１９における曲面とが合流する。ゆえに、天板３を側方（特に斜め上方）からみた場合に、縁曲げ部５１９は返し部４１によって視線が遮られ、目立ちにくい。また、曲面構成する返し部４１と同様に縁曲げ部５１９も曲面を構成してエッジをなくすことによって、縁曲げ部５１９が返し部４１よりも目立つことがない。そして、縁曲げ部５１９が後述する縁曲げ部５２９，５５９とともに天板３の下側で天板３の縁に沿って一周して配置されることで、天板３が縁取りされる視覚効果を得ることができる。よって、天板３自体の存在感を際立たせることができ、美観向上を図ることができる。
【００４３】
放熱部５１Ｅは、フレーム部材５１が受熱した熱を放熱するための部位であり、フレーム部材５１を構成する長手側の二辺のうち固定部５１Ｂを挟んで保持部５１Ａとは反対側の辺側に設けられる。放熱部５１Ｅは、板面から下方へ向けてリブ状に立設し、長手方向に沿って延びる二本の板状体によって構成される。放熱部５１Ｅはフレーム部材５１の表面積を増やし、フレーム部材５１の熱を放熱する。また、放熱部５１Ｅは、リブ構造によって、フレーム部材５１の強度を補強する。
【００４４】
フレーム部材５１は、上記のように保持部５１Ａが２つの対向部５１１，５１２を備える構造である。ゆえに、フレーム部材５１を下板３０へ取り付ける場合、前述したように、保持部５１Ａ側に対して放熱部５１Ｅ側を天板３の裏面３Ｂから遠ざけた状態にフレーム部材５１を傾け、天板３の縁部４１Ａを対向部５１１，５１２間に配置する。対向部５１１よりも天板３側に位置する対向部５１２は、天板３の溝部３Ｃ内に逃げ、下板３０に干渉しない。その状態で保持部５１Ａを支点にフレーム部材５１を回転させて放熱部５１Ｅ側を裏面３Ｂに近づける。さらに対向部５１１，５１２間に縁部４１Ａが配置されるようにスライドすることで、フレーム部材５１を取り付け位置に配置する。溝部３Ｃは、保持部５１Ａの位置決めとなってフレーム部材５１の回転およびスライドを案内する。固定部５１Ｂの貫通穴５１３に挿通した止めネジ５９を下板３０のネジ穴３０Ｄに締結し、フレーム部材５１を下板３０に固定する。天板３の縁部４１Ａは、フレーム部材５１のスライドによって対向部５１１，５１２のほぼ全面と向き合って配置されるので、止めネジ５９によってフレーム部材５１のスライドが規制されることで、保持部５１Ａから外れにくい。天板３は、フレーム部材５１によって、前後方向に沿う辺を構成する部分において縁部４１Ａの位置決めと保持がなされ、受熱による天板３の反りが防止される。
【００４５】
次に、図３，図５，図６に示すように、フレーム部材５２は、フレーム部材５１同様に、アルミニウムまたはアルミニウム合金からなる細幅な板状の部材である。フレーム部材５２は、長手方向を左右方向に揃え、厚み方向を上下方向に向けて天板３の裏面３Ｂに取り付けられる。
【００４６】
図５，図６に示すように、フレーム部材５２は、保持部５２Ａ、固定部５２Ｂ、連結部５２Ｃ、および貼設部５１Ｄを備える。保持部５２Ａは、返し部４２の縁部４２Ａを保持する部位であり、上記同様、フレーム部材５２を構成する長手側の二辺のうちの一辺に、長手方向の全長に亘って設けられる。保持部５２Ａは、フレーム部材５２が下板３０に固定された場合に、返し部４２の縁部４２Ａに対して下方に配置されるように段状に形成され、縁部４２Ａにおいて面方向が下方を向く天面３Ａと向き合う対向部５２１を備える。前述したように、下板３０は、前後方向両側の縁端部３０Ｃが、縁部４２Ａと重なる位置（言い換えると返し部４２の内面側の位置）に配置されている。保持部５２Ａの対向部５２１と、下板３０の縁端部３０Ｃとは、フレーム部材５２の厚み方向において所定間隙を離し、互いに向き合って配置される。対向部５２１は返し部４２の縁部４２Ａに対して下方に配置され、縁部４２Ａにおいて面方向が下方を向く天面３Ａと向き合う。下板３０の縁端部３０Ｃは縁部４２Ａに対して上方に配置され、縁部４２Ａにおいて面方向が上方を向く裏面３Ｂと向き合う。
【００４７】
対向部５２１と縁端部３０Ｃとの間の間隙も、上記同様、ホーロー溜まりによって縁部４２Ａの厚みが増しても間に配置できるように、縁部４２Ａにおける天板３の厚みよりも大きく形成されている。そして、天板３が自重によって縁部４２Ａを下方に押しつけるので、縁部４２Ａは、下側に配置される対向部５２１と密接する。ゆえに、側方から保持部５２Ａ内をのぞき込んでも縁部４２Ａひいてはホーロー溜まりを視認することはできず、返し部４２を備えたことによる天板３の美観は損なわれない。
【００４８】
固定部５２Ｂは、フレーム部材５２を下板３０に固定する部位である。固定部５２Ｂは厚み方向に貫通する貫通穴５２３（図５参照）を備え、フレーム部材５２を構成する長手側の二辺のうち保持部５２Ａとは反対側の辺側で、長手方向の複数箇所（例えば３カ所）に設けられる。貫通穴５２３に挿通した止めネジ５９（図５参照）を下板３０に設けたネジ穴３０Ｄに締結することで、フレーム部材５２は下板３０に固定される。すなわち、上記同様、天板３の縁部４２Ａも、フレーム部材５２を介し、下板３０に位置決めされる。
【００４９】
連結部５２Ｃは、フレーム部材５２がフレーム部材５５（後述）と連結するための部位であり、フレーム部材５２の長手方向両側の端部にそれぞれ設けられる。図６に示すように、連結部５２Ｃには、フレーム部材５５の突起部５５４に係合する係合穴５２４と、フレーム部材５５に設けられたネジ穴５５５に締結する止めネジ５５６を挿通可能な挿通穴５２５が設けられている。連結部５２Ｃを介してフレーム部材５１がフレーム部材５５の連結部５５Ｃを天板３との間に挟み、フレーム部材５５と密着して熱を伝導できるようにする点は上記同様である。係合穴５２４は、突起部５５４と係合することで、フレーム部材５２とフレーム部材５５との連結位置を位置決めする。挿通穴５２５は、止めネジ５５６ネジ止めによって、フレーム部材５２とフレーム部材５５とを固定する。
【００５０】
貼設部５２Ｄは、保持部５２Ａにおける対向部５２１の下側の面と、対向部５２１の縁を下方へ折り返した縁曲げ部５２９の内側の面によって構成される部位であり、前述のパッキン２９が位置決めされて貼り付けられる。なお、対向部５２１も、上側の面が、縁曲げ部５２９における外側の面へ向けて連続して滑らかな曲面を構成するように形成されており、エッジがない。上記同様、縁曲げ部５２９は、保持部５２Ａが天板３の縁部４２Ａを保持した場合に、返し部４２よりも天板３の内方側に位置するように、対向部５２１に設けられている。そして、天板３の縁部４２Ａが対向部５２１と当接する位置において、返し部４２における天面３Ａが構成する曲面と、縁曲げ部５２９における曲面とが合流する。ゆえに、天板３を側方（特に斜め上方）からみた場合に、縁曲げ部５２９は返し部４２によって視線が遮られ、目立ちにくい。また、曲面構成する返し部４２と同様に縁曲げ部５２９も曲面を構成してエッジをなくすことによって、縁曲げ部５２９が返し部４２よりも目立つことがない。そして、縁曲げ部５２９が縁曲げ部５１９と、後述する縁曲げ部５５９とともに天板３の下側で天板３の縁に沿って一周して配置されることで、天板３が縁取りされる視覚効果を得ることができる。よって、天板３自体の存在感を際立たせることができ、美観向上を図ることができる。
【００５１】
このように、フレーム部材５２は、保持部５２Ａが対向部５２１を備え、下板３０の縁端部３０Ｃとの間に天板３の縁部４２Ａを挟んで保持する構造である。下板３０は、トッププレート２１への取り付けの際に、縁端部３０Ｃが返し部４２の内面側の位置に配置される。ゆえに、フレーム部材５２を下板３０へ取り付ける場合、取り付け後の向きのままでフレーム部材５２を取り付け位置に配置し、止めネジ５９を締結してフレーム部材５２を下板３０に固定する。天板３の縁部４２Ａは、下板３０の縁端部３０Ｃと保持部５２Ａの対向部５２１との間に保持されて、位置決めされる。下板３０に対し、取り付け後の向きのままで取り付け作業を行うことができるフレーム部材５２は、取り付けが容易である。天板３は、フレーム部材５２によって、左右方向に沿う辺を構成する部分において縁部４２Ａの位置決めと保持がなされ、受熱による天板３の反りが防止される。
【００５２】
次に、図３，図６〜図８に示すフレーム部材５５は、フレーム部材５１，５２と同様に、アルミニウムまたはアルミニウム合金からなり、平面視略扇形状の部材である。フレーム部材５２は、天板３の裏面３Ｂで四つの角部分にそれぞれ取り付けられる。
【００５３】
図６〜図８に示すように、フレーム部材５５は、保持部５５Ａ、連結部５５Ｂ、連結部５５Ｃ、および貼設部５５Ｄを備える。保持部５５Ａは、返し部４５の角部４５Ａを保持する部位であり、扇形状のフレーム部材５５において円弧部分を構成する辺に設けられる。図６，図７に示すように、保持部５５Ａは、フレーム部材５１の保持部５１Ａと同様に、厚み方向において所定間隙を離し、互いに向き合って配置される２つの対向部５５１，５５２を備える。フレーム部材５５がフレーム部材５１，５２を介して下板３０に固定された場合に、対向部５５１は返し部４５の角部４５Ａに対して下方に配置され、角部４５Ａにおいて面方向が下方を向く天面３Ａと向き合う。同様に対向部５５２は角部４５Ａに対して上方に配置され、角部４５Ａにおいて面方向が上方を向く裏面３Ｂと向き合う。
【００５４】
図６に示すように、下板３０は四つの角部分に切り欠きが設けられており、天板３の裏面３Ｂとの間に生じる段差によって、下板３０の切り欠かれた断面と角部４５Ａの端面を縁とする凹部状をなし、フレーム部材５５よりも若干大きな大きさの凹部３Ｄが形成されている。フレーム部材５５は、天板３に取り付ける場合に凹部３Ｄ内に配置されるので、フレーム部材５５の配置位置の位置決めを行いやすい。また、フレーム部材５５は、凹部３Ｄ内でスライド移動が可能である。後述するが、フレーム部材５５にフレーム部材５１，５２を連結する場合に、凹部３Ｄ内でフレーム部材５５をスライド移動させることで、連結位置の位置決めを行いやすい。
【００５５】
図６，図７に示すように、対向部５５１と対向部５５２との間の間隙は、上記同様、ホーロー溜まりによって角部４５Ａの厚みが増しても間に配置できるように、角部４５Ａにおける天板３の厚みよりも大きく形成されている。そして、天板３が角部分においても自重によって角部４５Ａを下方に押しつけるので、角部４５Ａは、下側に配置される対向部５５１と密接する。ゆえに、側方から保持部５５Ａ内をのぞき込んでも角部４５Ａひいてはホーロー溜まりを視認することはできず、返し部４５を備えたことによる天板３の美観は損なわれない。
【００５６】
連結部５５Ｂおよび５５Ｃは、フレーム部材５５がそれぞれフレーム部材５１および５２と連結するための部位である。図６に示すように、連結部５５Ｂは、フレーム部材５５が天板３に固定された場合に、扇形状のフレーム部材５５において前後方向に沿う辺から左右方向に突出して設けられる。連結部５５Ｂは板状に形成され、フレーム部材５１の端部に設けられた連結部５１Ｃとの接触面積が確保される。連結部５５Ｂは、板面に、下方へ向けて突出する突起部５５３を備える。前述したように、突起部５５３はフレーム部材５１の連結部５１Ｃに設けられた係合穴５１４に係合し、フレーム部材５５とフレーム部材５１との連結位置の位置決めを行う。フレーム部材５５とフレーム部材５１とが連結する場合、フレーム部材５５の連結部５５Ｂは、フレーム部材５１の連結部５１Ｃよりも天板３のトッププレート２１に近い位置に配置される。言い換えると、フレーム部材５５の連結部５５Ｂは、天板３とフレーム部材５１の連結部５１Ｃとの間に挟まれる。フレーム部材５５はフレーム部材５１と連結部５５Ｂにおいて密着して熱伝導できるようになる。
【００５７】
図６，図８に示すように、連結部５５Ｃは、フレーム部材５５が天板３に固定された場合に、扇形状のフレーム部材５５において左右方向に沿う辺から前後方向に突出して設けられる。連結部５５Ｃも、フレーム部材５２端部の連結部５２Ｃとの接触面積を確保するため、連結部５２Ｃの形状に合わせた段部を有する板状に形成される。連結部５５Ｃは、厚みの薄い側の段部には、板面に、フレーム部材５２の連結部５２Ｃに設けられた係合穴５２４に係合するため、下方へ向けて突出する突起部５５４を備える。厚みの厚い側の段部には、連結部５２Ｃの挿通穴５２５を挿通して締結される止めネジ５５６が締結するネジ穴５５５が形成されている。フレーム部材５５とフレーム部材５２とが連結する場合、連結部５５Ｃは、天板３と連結部５２Ｃとの間に挟まれる。フレーム部材５５は、上記同様に、突起部５５４によってフレーム部材５２との連結位置の位置決めがなされ、連結部５２Ｃと５５Ｃとが密着して熱伝導できるようになる。さらに、止めネジ５５６の締結によって、フレーム部材５５がフレーム部材５２に固定されることによって、フレーム部材５５が天板３から脱落するのが防止される。
【００５８】
貼設部５５Ｄは、保持部５５Ａにおける対向部５５１の下側の面と、対向部５５１の縁を下方へ折り返した縁曲げ部５５９の内側の面によって構成される部位であり、上記同様、パッキン２９が位置決めされて貼り付けられる。フレーム部材５５とフレーム部材５１とフレーム部材５２とが連結することにより、それぞれの貼設部５５Ｄ，５１Ｄ，５２Ｄが天板３の縁を一周して接続し、それにあわせてパッキン２９も、天板３の縁を一周して設けられる。なお、対向部５５１も、上側の面が、縁曲げ部５５９における外側の面へ向けて連続して滑らかな曲面を構成するように形成されており、エッジがない。上記同様、縁曲げ部５５９は、保持部５５Ａが天板３の角部４５Ａを保持した場合に、返し部４５よりも天板３の内方側に位置するように、対向部５５１に設けられている。そして、天板３の角部４５Ａが対向部５５１と当接する位置において、返し部４５における天面３Ａが構成する曲面と、縁曲げ部５５９における曲面とが合流する。ゆえに、天板３を側方（特に斜め上方）からみた場合に、縁曲げ部５５９は返し部４５によって視線が遮られ、目立ちにくい。また、曲面構成する返し部４５と同様に縁曲げ部５５９も曲面を構成してエッジをなくすことによって、縁曲げ部５５９が返し部４５よりも目立つことがない。そして、縁曲げ部５５９が縁曲げ部５１９，５２９とともに天板３の下側で天板３の縁に沿って一周して配置されることで、天板３が縁取りされる視覚効果を得ることができる。よって、天板３自体の存在感を際立たせることができ、美観向上を図ることができる。
【００５９】
このように、フレーム部材５５は、保持部５５Ａが対向部５５１と５５２との間に天板３の角部４５Ａを挟んで保持する構造である。ゆえに、フレーム部材５１を天板３に取り付ける場合、保持部５５Ａ側に対してネジ穴５５５が形成された側を天板３の裏面３Ｂから遠ざけた状態にフレーム部材５５を傾け、天板３の角部４５Ａを対向部５５１，５５２間に配置する。その状態で保持部５５Ａを支点にフレーム部材５５を回転させて、ネジ穴５５５側を裏面３Ｂに近づける。フレーム部材５５は下板３０への固定構造は持たず、連結部５５Ｂ，５５Ｃを介して連結するフレーム部材５１，５２を下板３０に固定することでフレーム部材５１，５２に支えられ、間接的に下板３０に固定される。天板３は、フレーム部材５５によって、角部分においても角部４５Ａの位置決めと保持がなされ、受熱による天板３の反りが防止される。
【００６０】
以上説明したように、天板３は、ホーロー処理によって表面処理を行うため、縁部４１Ａ，４２Ａにホーロー溜まりが形成され、凹凸を生じる場合がある。第一保持部材の一例である下板３０とフレーム部材５１は、フレーム部材５１の保持部５１Ａに設けた対向部５１１，５１２で天板３の縁部４１Ａを挟むことができる。また、第一保持部材の一例である下板３０とフレーム部材５２は、フレーム部材５２の保持部５２Ａに設けた対向部５２１と、下板３０の前後方向における縁端部３０Ｃとで天板３の縁部４２Ａを挟むことができる。ゆえに、コンロ１の製造過程において、天板３の縁部４１Ａ，４２Ａにホーロー溜まりがあっても、対向部５１１，５１２間または対向部５２１と縁端部３０Ｃとの間に縁部４１Ａまたは４２Ａを配置し、コンロ１を組み立てることは容易である。そして、対向部５１１，５１２間または対向部５２１と縁端部３０Ｃとの間に縁部４１Ａまたは４２Ａを挟むので、天板３の縁部４１Ａ，４２Ａを位置決めし、天板３の受熱による反りを確実に抑制することができる。また、天板３の縁部４１Ａ，４２Ａは、返し部４１，４２によって、天板３の内向きに返された位置にある。ゆえに、縁部４１Ａ，４２Ａにホーロー溜まりによる凹凸があっても、コンロ１の側方から見えにくく、美観は損なわれない。さらに、縁部４１Ａ，４２Ａを対向部５１１，５１２間または対向部５２１と縁端部３０Ｃとの間に挟む構成によってホーロー溜まりを隠すことができ、コンロ１の美観は損なわれない。
【００６１】
また、対向部５２１を有するフレーム部材５２は、下板３０の縁端部３０Ｃとの間で天板３の縁部４２Ａを挟むことができる。すなわち、縁端部３０Ｃが下板３０の部位として下板３０と一体であるので、組み付け時において、縁部４２Ａに対してフレーム部材５２を取り付け後と同じ向きで下方側から被せるようにして配置することができる。その状態で、フレーム部材５２を下板３０に固定すれば、下板３０の縁端部３０Ｃとフレーム部材５２の対向部５２１との間に縁部４２Ａを挟み、縁部４２Ａの位置決めを確実に行うことができる。ゆえに、フレーム部材５２は、組み付け後の向きが組み付け前の向きと同じ向きのまま下板に固定することができるので、組み付け作業が容易である。
【００６２】
さらに、フレーム部材５５の対向部５５１，５５２間に天板３の角部４５Ａを挟んで位置決めすることで、天板３の角部４５Ａにおいても反りを抑制することができる。また、フレーム部材５５は、フレーム部材５１，５２で天板３の裏面３Ｂとの間に挟んで位置決めできるので、下板３０にフレーム部材５５を固定するための部位や部材を用意せずとも済み、部品点数や取り付けの手間を低減できる。そして、隣り合う二辺に配置した２つのフレーム部材５１，５２をフレーム部材５５で連結することができるので、フレーム部材５１，５２およびフレーム部材５５の強度を高め、天板３の縁部４１Ａ，４２Ａおよび角部４５Ａをそれぞれ挟み、位置決めした状態を維持することができる。
【００６３】
また、対向部５１１と対向部５１２を有するフレーム部材５１は、下板３０の縁端部３０Ｂが設けられた辺側において、対向部５１１と対向部５１２と間に縁部４１Ａを挟むことができる。組み付け時において、フレーム部材５１を天板３の縁部４１Ａに向けて斜めに傾け、差し込めば、対向部５１１と対向部５１２の間に縁部４１Ａを配置することができる。その状態でフレーム部材５１の傾きを戻して下板３０に固定すれば、縁部４１Ａが対向部５１１と対向部５１２に挟まれた状態で抜けにくくなるので、フレーム部材５１の組み付け作業も容易に行うことができる。また、対向部５１１と対向部５１２とが一体であり間隙が広がることがないので、天板３の縁部４１Ａをより確実に位置決めすることができる。
【００６４】
そして、天板３の辺に応じ、フレーム部材５１を利用したり、フレーム部材５２を利用したりすることができるので、天板３に対するフレーム部材５１，５２の組み付け作業が容易であり、且つ、縁部４１Ａ，４２Ａの位置決めを確実に行うことができる。
【００６５】
また、天板３の縁に沿って天板３を一周してフレーム部材５１，５２，５５を配置することで、天板３の全周に亘って天板３の縁部４１Ａ，４２Ａおよび角部４５Ａを確実に挟み、位置決めすることができる。また、フレーム部材５１，５２，５５の対向部５１１，５２１，５５１は、天板３の縁部４１Ａ，４２Ａおよび角部４５Ａにおける天面３Ａ側で縁部４１Ａ，４２Ａおよび角部４５Ａそれぞれを挟む構成であるため、天板３の縁に沿って天板３の側方から視認できる位置に配置される。すなわち、天板３を斜め方向からみた場合に、対向部５１１，５２１，５５１は天板３の下側で縁に沿って一周して配置される構成となるため、天板３が縁取りされる視覚効果を得ることができる。よって、天板３自体の存在感を際立たせることができ、美観向上を図ることができる。また、天板３が局所的に高温になった場合、互いに連結するフレーム部材５１，５２，５５は天板３の熱を伝導して放熱することができるので、天板３の局所的な高温化を防ぎ、受熱による天板３の反りを、より確実に防止できる。なお、フレーム部材５１，５２，５５にアルミニウムまたはアルミニウム合金を用いれば、放熱効果をより高めることができ、好ましい。
【００６６】
天板３は、通常、左右方向に長く延びるため、受熱した場合に、前後方向と比べると左右方向において反りを生じやすい。そこで、対向部５１１と対向部５１２とを一体に有し、間隙が広がることのないフレーム部材５１を、天板３の左方側および右方側の辺に設けた縁部４１Ａの位置決めに用いることで、天板３の受熱による反りを確実に防止できる。そして、前方側および後方側に設けた縁部４２Ａの位置決めには、下板に固定しやすいフレーム部材５２を用いれば、コンロ１の組み立てが容易である。
【００６７】
なお、本発明は上記実施形態に限定されるものではなく、種々の変更が可能である。例えば、コンロ１はビルトインコンロであるが、テーブルコンロであってもよい。またコンロ１は複数のバーナ４〜６を備えるが、バーナは１つでもよく、グリルは無くてもよい。
【００６８】
天板３は、トッププレート２１の両面（天面３Ａおよび裏面３Ｂ）にホーロー処理を施したが、天面３Ａにのみホーロー処理を施してもよい。また、天板３の四方の辺および四つの角（すなわち全周）に返し部４１，４２，４５を設けたが、左右の辺のみ、あるいは前側の辺のみに返し部を設けるなどしてもよく、必ずしも全周に設けなくともよい。同様に、下板３０およびフレーム部材５１，５２による縁部４１Ａ，４２Ａの保持は、必ずしも全周においてなされなくともよい。フレーム部材５５も、天板３の四つの角すべてに設けなくともよい。また、天板３の一つの辺の全長に亘って縁部４１Ａまたは４２Ａの保持が行われなくともよい。言い換えると、フレーム部材５１，５２は、天板３の一つの辺において部分的に（間欠的に）設けてもよいし、部分的に設ける場合にはさらに、一つの辺に複数設けてもよい。また、本実施形態ではトッププレート２１と後板２２を組み合わせた天板３について説明を行ったが、後板の機能をトッププレートが有し、天板は、トッププレートのみからなるものであってもよい。
【００６９】
また、天板３の左右の縁部４１Ａは下板３０とフレーム部材５１で保持し、前後の縁部４２Ａは下板３０とフレーム部材５２で保持したが、すべての辺を、下板３０とフレーム部材５１のみ、あるいは下板３０とフレーム部材５２のみで保持してもよい。天板３のすべての辺を下板３０とフレーム部材５２のみで保持する場合、縁端部３０Ｃが下板３０の部位として下板と一体であるので、組み付け時において、縁部４２Ａに対してフレーム部材５２を下方側から被せるようにして配置することができる。その状態で、フレーム部材５２を下板３０に固定すれば、下板３０の縁端部３０Ｃとフレーム部材５２の対向部５２１との間に縁部４２Ａを挟み、縁部４２Ａの位置決めを確実に行うことができる。ゆえに、フレーム部材５２は、組み付け後の向きが組み付け前の向きと同じ向きのまま下板に固定することができるので、組み付け作業が容易である。一方、天板３のすべての辺を、下板３０とフレーム部材５１のみで保持する場合、組み付け時において、フレーム部材５１を天板３の縁部４１Ａに向けて斜めに傾け、差し込めば、対向部５１１と対向部５１２の間隙に縁部４１Ａを配置することができる。その状態でフレーム部材５１の傾きを戻して下板３０に固定すれば、縁部４１Ａが対向部５１１と対向部５１２に挟まれた状態で抜けにくくなるので、フレーム部材５１の組み付け作業も容易に行うことができる。また、対向部５１１と対向部５１２の間隙が広がることがないので、天板３の縁部４１Ａをより確実に位置決めすることができる。
【００７０】
上記説明において、下板３０およびフレーム部材５１，５２が、本発明における「第一保持部材」に相当し、フレーム部材５５が「第二保持部材」に相当する。返し部４１，４２が「第一返し部」に相当し、返し部４５が「第二返し部」に相当する。対向部５１２または縁端部３０Ｃが「第一対向部」に相当し、対向部５１１または対向部５２１が「第二対向部」に相当する。対向部５５２が「第三対向部」に相当し、対向部５５１が「第四対向部」に相当する。フレーム部材５２が「第一フレーム部材」に相当し、フレーム部材５１が「第二フレーム部材」に相当する。
【符号の説明】
【００７１】
１                                  コンロ
２                                  器具本体
３                                  天板
３Ａ                                天面
３Ｂ                                裏面
３０                                  下板
３０Ｃ                                縁端部
４１，４２，４５                      返し部
４１Ａ，４２Ａ，４５Ａ                縁部
５１，５２，５５                      フレーム部材
５５Ｂ，５５Ｃ                        連結部
５１１，５１２，５２１，５５１，５５２  対向部
【図１】
2015034679.tif 000003
【図２】
2015034679.tif 000004
【図３】
2015034679.tif 000005
【図４】
2015034679.tif 000006
【図５】
2015034679.tif 000007
【図６】
2015034679.tif 000008
【図７】
2015034679.tif 000009
【図８】
2015034679.tif 000010